(57)【要約】【課題】手すりを躯体に取り付けるための取付ブラケットと、手すりの芯材との連結作業が容易で取り付け安定性に優れた、取付ブラケットと手すりの芯材との連結構造の提供を目的とする。【解決手段】手すりを躯体に取り付けるための取付ブラケットと、手すりを構成する芯材との連結構造であって、前記芯材は長手方向に沿って前記取付ブラケットの先端部を差し込むための開口部を有し、前記芯材の開口部に前記取付ブラケットの先端部を差し込むと、前記開口部が前記取付ブラケットに弾性係止することを特徴とする。【選択図】  図１
2019039239.tif 000002
【特許請求の範囲】
【請求項１】
手すりを躯体に取り付けるための取付ブラケットと、手すりを構成する芯材との連結構造であって、
前記芯材は長手方向に沿って前記取付ブラケットの先端部を差し込むための開口部を有し、
前記芯材の開口部に前記取付ブラケットの先端部を差し込むと、前記開口部が前記取付ブラケットに弾性係止することを特徴とする取付ブラケットと手すりの芯材との連結構造。
【請求項２】
前記芯材は開口断面形状であり、前記芯材を取付ブラケットに取り付けた状態で前記開口部の広がり防止手段を有することを特徴とする請求項１記載の取付ブラケットと手すりの芯材との連結構造。
【請求項３】
前記取付ブラケットは先端部が前記芯材の開口部から差し込まれ、前記先端部は前記開口断面形状の芯材の内側に突き当たっていることを特徴とする請求項２記載の取付ブラケットと手すりの芯材との連結構造。
【請求項４】
前記芯材の開口部の広がり防止手段は、前記取付ブラケットに設けたつば部であることを特徴とする請求項２記載の取付ブラケットと手すりの芯材との連結構造。
【請求項５】
前記芯材と前記取付ブラケットとの間に長手方向のズレを防止したズレ防止手段を有することを特徴とする請求項１〜４のいずれかに記載の取付ブラケットと手すりの芯材との連結構造。
【発明の詳細な説明】
【技術分野】
【０００１】
本発明は、手すりを建築物等の躯体に取り付ける取付ブラケットと、手すりとの締結構造に関する。
【背景技術】
【０００２】
手すりは、人が歩行する際に補助的な支えとして、あるいは立ち上がり動作等の際に補助となることから、強度が必要である。
この種の手すりは躯体側に取付ブラケットを介して取り付ける場合が多い。
例えば、特許文献１又は図７に模式図を示すように、取付ブラケット１０１の先端部に芯材１０２を差し込み、芯材と取付ブラケットに工具１０４にて下孔を明け、次に工具１０６にてタッピングビス止め１０５をしていた。
これでは、下孔を明けるのに熟練を要するだけでなく、下孔の明ける位置がずれると、再度下孔を明け直さなければならず、不良な下孔による強度不足も問題になる。
また、取付作業も大変である。
取付ブラケットに芯材を締結した後に、樹脂製のカバー部材１０３を取り付ける場合も多く、修理が必要な場合にこのカバー部材の端部１０３ａを取り外すのが大変である。
【先行技術文献】
【特許文献】
【０００３】
【特許文献１】特開２００３−１９３６５３号公報
【発明の概要】
【発明が解決しようとする課題】
【０００４】
本発明は、手すりを躯体に取り付けるための取付ブラケットと、手すりの芯材との連結作業が容易で取り付け安定性に優れた、取付ブラケットと手すりの芯材との連結構造の提供を目的とする。
【課題を解決するための手段】
【０００５】
本発明に係るブラケットと手すりの芯材との連結構造は、手すりを躯体に取り付けるための取付ブラケットと、手すりを構成する芯材との連結構造であって、前記芯材は長手方向に沿って前記取付ブラケットの先端部を差し込むための開口部を有し、前記芯材の開口部に前記取付ブラケットの先端部を差し込むと、前記開口部が前記取付ブラケットに弾性係止することを特徴とする。
芯材の開口部を取付ブラケットに弾性係止させることで、接触部の摩擦抵抗により取り付けが安定する。
【０００６】
ここで、取付ブラケットは手すりを躯体に取り付けるためのものと表現したのは、歩行通路や階段に沿って壁面に手すりを取り付ける場合のみならず、玄関口等の床面，トイレ等の室内等、広く手すりを設置する場所を意味する。
手すりは人の握る感触や装飾性を考慮して、強度のある芯材に樹脂製等のカバーを被覆層として組み付けるものが多く、手すりを取付ブラケットに連結するための芯材をいう。
よって、本発明において芯材と表現したのは、表面の被覆層が一体になっている手すりも対象に含まれる。
【０００７】
本発明において、前記芯材は開口断面形状であり、前記芯材を取付ブラケットに取り付けた状態で前記開口部の広がり防止手段を有するようにしてもよい。
ここで、開口断面形状と表現したのは、長手方向に沿って任意の位置に取付ブラケットの先端部を差し込むことができる開口部を側面に有する断面形状であることをいう。
この場合に、取付ブラケットは先端部が前記芯材の開口部から差し込まれ、前記先端部は前記開口断面形状の芯材の内側に突き当たっているのが好ましい。
また、開口部の広がり防止手段とは、取付ブラケットに弾性係止した芯材の開口部が広がらないようにすることで取り付け安定性を向上させたものであり、例えば、前記芯材の開口部の広がり防止手段は、前記取付ブラケットに設けたつば部であってもよい。
さらには、前記芯材と前記取付ブラケットとの間に長手方向のズレを防止したズレ防止手段を有していてもよい。
【発明の効果】
【０００８】
本発明に係る取付ブラケットに手すりの芯材を連結する構造にあっては、手すりの長手方向に沿って開口部を有しているので、任意の位置で取付ブラケットの先端部を差し込むことで連結できる。
これにより従来の下孔加工やビス止め作業が不要になる。
【図面の簡単な説明】
【０００９】
【図１】本発明に係る連結構造を用いた手すりの連結手順を（ａ）〜（ｄ）に示す。
【図２】手すりの連結手順（ａ）〜（ｄ）を断面にて示す。
【図３】取付ブラケットの第２の実施例を示し、（ａ）は取り付け前、（ｂ）は取り付け後を示す。
【図４】（ａ）は部品の構成例を示し、（ｂ）は芯材と取付ブラケットの位置関係、（ｃ）は連結部の断面斜視図を示す。
【図５】（ａ）は取付ブラケットにストッパーを取り付けた状態、（ｂ）はストッパーとエンドキャップの位置関係を示す。
【図６】（ａ）はエンドキャップ、（ｂ）はストッパー、（ｃ）は取付ブラケットの単品図を示す。
【図７】従来の手すりの連結構造例を示す。
【発明を実施するための形態】
【００１０】
以下、図に基づいて本発明に係る連結構造を説明する。
図１は斜視図で示し、図２は断面図で示す。
手すりの芯材２は、金属材を用いてフォーミング加工等により、長手方向に沿って開口部２ａを有する開口断面形状（セミホロー断面）に成形されている。
芯材２は弾性部材からなり、開口部２ａには拡径すると復元力が作用するようになっている。
開口部２ａの両側の端部は、それぞれ外側に向けて折り返した内側に係止部２ｃを有する係止片２ｄとなっている。
また、芯材２の開口部２ａに対向する頂部は、断面山形形状の当接部２ｅを有する例になっている。
芯材２の断面形状は、長手方向に沿って開口部２ａを有するものであれば、その断面形状に制限はない。
本実施例は、山形形状の当接部２ｅの両側に側壁部２ｂを有する略四角形断面となっている。
【００１１】
取付ブラケット１は、建築物の壁面，床面等から立設してあり、先端部１ａを芯材２の開口部２ａから差し込む。
この際に芯材２の開口部２ａの幅寸法は、取付ブラケット１の厚みよりも小さく、取付ブラケット１の先端部１ａを開口部２ａに差し込むと、図２（ａ）に示すように開口部２ａが開き、図２（ｂ）に示すように取付ブラケット１の先端部１ａが芯材２の開口断面形状の内側頂部の当接部２ｅに突き当たる。
また、開口部２ａの両側に有する係止部２ｃが、取付ブラケット１の側面の係合凹部１ｂに、弾性係止するようになっている。
これにより、当接部２ｅの突き当たりと、係合凹部１ｂと芯材２の係止部２ｃとの弾性力により、摩擦抵抗が生じ、連結される。
図１，２は取付ブラケット１が差し込まれた両側の開口部２ａに、開口寸法が基底部より小さい略コ字形状のクリップ３を取り付けることで、開口部２ａの広がりを防止した例になっている。
このクリップ３の端部３ａは、芯材２の係止片２ｄに係止する。
これにより、芯材２が取付ブラケット１から抜ける方向と、横方向にずれる方向が規制される。
ここでクリップ３は、取付ブラケット１の側部に接するように取り付けるのが好ましい。
芯材２の外側には必要に応じて、樹脂製のカバー部材４が組付けられる。
取付ブラケット１は、通路等に沿って所定の間隔毎に立設されており、これに沿って必要な長さの手すり部材が取り付けられる。
【００１２】
図３〜図６に第２の実施例を示す。
図３に示した取付ブラケット１は、側面の係合凹部１ｂ，１ｂのそれぞれ外側につば部１ｃ，１ｃを立設した例となっている。
図３（ｂ）に示すように、取付ブラケット１の先端部１ａを芯材２の開口部２ａから差し込み、芯材２の係止部２ｃを取付ブラケット側の係合凹部１ｂに弾性係止させた状態で芯材２の係止片２ｄがつば部１ｃの内側に係止する。
これにより、開口部２ａが広がり変形するのを防止する。
本実施例ではさらに図４〜図６に示すように、ストッパー５を取付ブラケット１に取り付け、芯材２の長手方向のズレを防止した例になっている。
ストッパーの一端部に取り付けブラケット１を挟み込むように挿入するスリット状の挟込み部５ａと、その先端部を下側に折り曲げて引掛部５ｂを有する。
図３に示した取付ブラケット１の溝状の段差部１ｄの側端部に図５に示すようにストッパーの引掛部５ｂを引っ掛けるようにして取り付けた例になっている。
このストッパー５は図５に示すように芯材２の内部に位置し、芯材２の端部にエンドキャップ６をビス等にて固定すると、エンドキャップ６がビス等にて芯材２と固定連結されているので、取付ブラケット１に対して芯材２が図５（ｂ）では右方向にズレるような力が加わっても、このエンドキャップ６の芯材２への挿入部６ａの端面にストッパー５の他端の規制部５ｃが突き当たり、それ以上ズレない。
よって、手すりの両側の端部に、このようにストッパー５とエンドキャップ６を取り付けると、ストッパー５の規制部５ｃがエンドキャップ６の挿入部６ａの端面に規制され、手すりの長手方向がどちらの方向にズレるのも防止する。
なお、エンドキャップ６の形状には制限がない。
また、取付ブラケット１は壁面等に取付部１ｅにて固定するようになっているが、取付部の形状や構造に制限がない。
先端部１ａも本実施例では上方に向けて立設してあるが、斜め上方に傾いていてもよい。
【符号の説明】
【００１３】
１        取付ブラケット
１ａ      先端部
２        芯材
２ａ      開口部
３        クリップ
４        カバー部材
５        ストッパー
６        エンドキャップ
６ａ      挿入部
【図１】
2019039239.tif 000003
【図２】
2019039239.tif 000004
【図３】
2019039239.tif 000005
【図４】
2019039239.tif 000006
【図５】
2019039239.tif 000007
【図６】
2019039239.tif 000008
【図７】
2019039239.tif 000009